(57)【要約】      （修正有）【課題】電気モータなどの特定の形式の機械の条件モニタ用診断情報源である正弦波変調信号の発振器システムを使用した整流ツールを提供する。【解決手段】正弦波変調信号整流ツールは、一般型の２つの発振器１８、１９から成るシステム１０に対して、正弦波変調信号２６、２８及びノイズが加えられる。２つの発振器１８、１９は、入力正弦波変調信号の特定の周波数に対して調整、同調させられる。移行期間の間には、ノイズはランダムであるので、ノイズは、一般型の発振器１８、１９の周波数を時間の経過と共にそれぞれ反対の方向に押し、従ってそのような発振器に対するその影響を自己排除する。得られた信号は、非常にノイズが少なくなっており、すなわち整流されており、正弦波変調信号２６、２８は、例えばそのスペクトルピークを抽出しかつさらに解析することによってさらに評価することができる。【選択図】図１
2008271771.tif 000002
【特許請求の範囲】
【請求項１】
回転機械から出力されたノイズによって囲まれた正弦波変調信号を整流するためのシステムであって、
前記正弦波変調信号を検知するためのセンサと、
調整可能な第１の振動周波数を有する第１の発振器と、
調整可能な第２の振動周波数を有する第２の発振器と、を含み、
前記第１の振動周波数を、前記正弦波変調信号の中心周波数とほぼ同じになるように調整し、また前記第２の振動周波数を、前記正弦波変調信号の側波帯周波数とほぼ同じになるように調整し、これにより前記ノイズを低減して前記正弦波変調信号が整流する、
システム。
【請求項２】
前記整流正弦波変調信号を時間領域から周波数領域に変換するための変換装置をさらに含み、
前記整流正弦波変調信号のスペクトルピークが、解析のために抽出される、
請求項１記載のシステム。
【請求項３】
前記第１及び第２の発振器が、動的同期化プロセスを使用して、それらの振動周波数を前記入力正弦波変調信号の中心及び側波帯周波数とほぼ同じになるように調整する、請求項１記載のシステム。
【請求項４】
前記動的同期化プロセスにおいて、前記正弦波変調信号を囲む前記ノイズが、前記発振器の振動周波数を時間の経過と共にそれぞれ反対の方向に押して、それによって前記発振器の振動周波数に対するノイズの影響を排除する、請求項３記載のシステム。
【請求項５】
前記第１及び第２の発振器が、同一の形式である、請求項１記載のシステム。
【請求項６】
前記第１及び第２の発振器が、２つの異なる形式である、請求項１記載のシステム。
【請求項７】
前記センサが、前記機械の回転などの振動によって生じた電磁信号の変化を検知する電磁型変換器である、請求項１記載のシステム。
【請求項８】
前記回転機械が、電気モータであり、
前記センサが、前記モータの電流波形を検知する変流器である、
請求項１記載のシステム。
【請求項９】
前記センサが、前記機械から振動信号をピックアップする加速度計である、請求項１記載のシステム。
【請求項１０】
回転機械から出力されたノイズによって囲まれた正弦波変調信号を整流する方法であって、
前記正弦波変調信号を検知するためのセンサを設ける段階と、
第１の調整可能な振動周波数を有する第１の発振器を設ける段階と、
第２の調整可能な振動周波数を有する第２の発振器を設ける段階と、
前記第１の振動周波数を前記正弦波変調信号の中心周波数とほぼ同じになるように調整する段階と、
前記第２の振動周波数を前記正弦波変調信号の側波帯周波数とほぼ同じになるように調整し、それにより前記ノイズが低減されて前記正弦波変調信号が整流されるようにする段階と、
前記整流正弦波変調信号を時間領域から周波数領域に変換し、前記整流正弦波変調信号のスペクトルピークが解析のために抽出されるようにする段階と、
前記整流正弦波変調信号の整流正弦波変調信号スペクトルピークを解析のために表示する段階と、を含む、
方法。
【発明の詳細な説明】
【技術分野】
【０００１】
本発明は、発振器システムを使用した正弦波変調信号整流ツールに関する。
【０００２】
本出願は、「周波数整流システム、装置及び方法」の名称の米国特許第７，０６５，４７４号及び「より短波形用の周波数整流ツール」の名称の米国特許第７，０６４，５５６号、並びに２００５年３月３１日に出願されかつ「複合信号から関心信号を回復するためのシステム及び方法」の名称の係属中の米国特許出願番号第１１／０９５，２５８号に関連する。
【背景技術】
【０００３】
モータなどの電気機械は、広範な用途に使用される。電気機械が運転している周波数を知ることにより、機械が故障しているか否かを正確に判定することが可能になる。しかしながら、周囲ノイズのために、特に該ノイズから機械の運転周波数を識別不能である場合には、機械の運転周波数を判定するのが困難になる可能性がある。
【０００４】
正弦波変調信号は、電気モータなどの特定の形式の機械の条件モニタ用診断情報の重要な情報源である。このことは、例えば以下のような技術出版物によって明らかなように、良く知られた事実である。それらは、（１）Ｃｏｌｅｙ，  Ｐｈｉｌｉｐ，  Ｆａｕｌｔ  Ｚｏｎｅ  Ａｎａｌｙｓｉｓ，  Ｒｏｔｏｒ，  ＰｄＭＡ  Ｃｏｒｐｏｒａｔｉｏｎ，  Ｍｏｔｏｒ  Ｒｅｌｉａｂｉｌｉｔｙ  Ｔｅｃｈｎｉｃａｌ  Ｃｏｎｆｅｒｅｎｃｅ，  Ｍａｙ  ６−８，２００３，  Ｃｌｅａｒｗａｔｅｒ  Ｂｅａｃｈ，  Ｆｌｏｒｉｄａ、（２）Ｖａｒｉａｂｌｅ  Ｆｒｅｑｕｅｎｃｙ  Ｄｒｉｖｅｓ  ａｎｄ  Ａｄｖａｎｃｅｄ  Ｓｐｅｃｔｒａｌ  Ａｎａｌｙｓｉｓ，  ＰｄＭＡ  Ｃｏｒｐｏｒａｔｉｏｎ，２００３，ｐ８−８〜８−１１、及び（３）ＭＣＥｍａｘ  Ｄａｔａ  Ｉｎｔｅｒｐｒｅｔａｔｉｏｎ，  ＰｄＭＡ  Ｃｏｒｐｏｒａｔｉｏｎ，  ２００２，ｐ１９９〜２０６である。
【０００５】
本質的に、判定は、特定のスペクトル計測値を使用して誘導モータのロータの健全性について行われる。モータの電流スペクトルのいわゆる回線周波数ピークが、該回線周波数ピークの左側及び右側までの、いわゆる極通過周波数に等しい距離において比較的高い側波帯（すなわち、その両側におけるスペクトルピーク）を有する場合には、ロータバー及び／又はエンドリングが損傷していることを示している。
【０００６】
機械によって生成された正弦波変調信号が、実際の用途では常に存在することであるがノイズによって覆い隠されることは、実用上ごく一般的なことである。このことは、ノイズによってより一層覆い隠される傾向になるより小さい側波帯の場合に特に当てはまる。過剰なノイズから正弦波変調信号を整流する機能により、この問題が解決され、従って条件モニタが成功裏に可能になる。
【非特許文献１】Ｃｏｌｅｙ，  Ｐｈｉｌｉｐ，  Ｆａｕｌｔ  Ｚｏｎｅ  Ａｎａｌｙｓｉｓ，  Ｒｏｔｏｒ，  ＰｄＭＡ  Ｃｏｒｐｏｒａｔｉｏｎ，  Ｍｏｔｏｒ  Ｒｅｌｉａｂｉｌｉｔｙ  Ｔｅｃｈｎｉｃａｌ  Ｃｏｎｆｅｒｅｎｃｅ，  Ｍａｙ  ６−８，２００３，  Ｃｌｅａｒｗａｔｅｒ  Ｂｅａｃｈ，  Ｆｌｏｒｉｄａ
【非特許文献２】Ｖａｒｉａｂｌｅ  Ｆｒｅｑｕｅｎｃｙ  Ｄｒｉｖｅｓ  ａｎｄ  Ａｄｖａｎｃｅｄ  Ｓｐｅｃｔｒａｌ  Ａｎａｌｙｓｉｓ，  ＰｄＭＡ  Ｃｏｒｐｏｒａｔｉｏｎ，２００３，ｐ８−８〜８−１１
【非特許文献３】ＭＣＥｍａｘ  Ｄａｔａ  Ｉｎｔｅｒｐｒｅｔａｔｉｏｎ，  ＰｄＭＡ  Ｃｏｒｐｏｒａｔｉｏｎ，  ２００２，ｐ１９９〜２０６
【発明の開示】
【課題を解決するための手段】
【０００７】
本発明は、電気モータなどの回転機械によって生成された正弦波変調信号を整流するためのシステムに関する。正弦波変調信号は基本的に、別の正弦波信号によって変調された、より大幅に小さい振幅とより大幅に低い周波数とを備えた正弦波信号である。図９ａに示したプロットのような時間ベースプロット上では、そのような信号は、その振幅が時間と共に僅かに変化する正弦波信号のように見える。図９ｂに示したプロットのようなスペクトルプロット上では、この形式の信号は、側波帯と呼ばれるより小さいピークによって囲まれた大きいピークのように見える。
【０００８】
機械から入力される正弦波変調信号は、本発明では一対の連結発振器に信号を入力することによって過剰ノイズが整流される。発振器は、それに限定されないが、ファンデルポール型、ロテータ型、トラッキングフォース型、線形型又はあらゆるその他の型の発振器とすることができるいわゆる一般型のものとすることができる。２つの発振器はまた、例えばファンデルポール型発振器及び線形型発振器などの２つの異なる形式のものとすることができる。発振器は、入力正弦波変調信号の特定の周波数に対して同調させる。ファンデルポール型発振器、ロテータ型、トラッキングフォース型、線形型発振器はすべて、非線形ダイナミックス分野の知識を持っている当業者には良く知られた発振器である。
【０００９】
入力正弦波変調信号に対して発振器を調整するプロセスは、「動的同期化（ダイナミックシンクロナイゼーション）」のような非線形ダイナミックス分野の知識を持っている当業者には公知である。移行期間の間には、正弦波変調信号と共に入力されるノイズはランダムであるので、ノイズは、発振器の周波数を時間の経過と共にそれぞれ反対の方向に「押し」、従って発振器に対するその影響を自己排除する。従って、動的同期化プロセスに対するノイズの影響は、殆ど影響のないものになる。
【００１０】
正弦波変調信号は、一定の周波数、すなわち時間の経過と共にそれに対して発振器が同期化する中心周波数及び２つの側波帯周波数を有する。得られた出力信号は、非常にノイズが少なくなっており、すなわち整流されており、正弦波変調信号は、通常の手順でさらに評価することができる。信号は次に、時間領域から周波数領域に変換して、信号のスペクトルピークを直接抽出しかつさらに解析することができるようにすることができる。
【発明を実施するための最良の形態】
【００１１】
図１は、回転機械によって生成されかつノイズによって囲まれた正弦波変調信号を整流するためのシステム１０の例示的な実施形態である。システム１０は、電気モータなどの回転機械１２、正弦波変調信号を検出するためのセンサ１４、アナログ・ディジタル（Ａ／Ｄ）変換器１６、一対の発振器１８及び１９、変換装置２０、並びに出力装置２２を含む。
【００１２】
センサ１４は、ほんの一例として、機械１２の回転などの振動によって生じた電磁信号の変化を検知する電磁型変換器、機械１２の電流波形を検知する変流器、又は機械１２から振動信号をピックアップする加速度計とすることができる。
【００１３】
発振器１８及び１９は、それに限定されないが、ファンデルポール型、ロテータ型、トラッキングフォース型、線形型、又はあらゆるその他の型の発振器とすることができるいわゆる一般型のものとすることができる。発振器１８及び１９はまた、２つの異なる形式のものとすることができる。「一般型の発振器」は、例えばファンデルポール型発振器と線形型発振器との組合せなどの、あらゆる形式の発振器の組合せである。
【００１４】
発振器１８及び１９の動作係数は、発振器のうちの１つの振動周波数を機械１２によって生成された正弦波変調信号の中心周波数にほぼ等しくなるように調整しかつ他の発振器の振動周波数を正弦波変調信号の側波帯周波数のうちの１つにほぼ等しくなるように調整するように調整される。
【００１５】
変換装置２０は、信号を時間領域から周波数領域に変換するフーリエ変換装置であるのが好ましい。例えば、１つの実施形態では、フーリエ変換装置２０は、高速フーリエ変換装置である。出力装置２２は、液晶表示装置又はプラズマ表示スクリーンなどの表示装置を含むのが好ましい。
【００１６】
センサ１４が変換器である場合には、センサ１４は、機械１２の周りに電磁場などの場を発生する。機械１２は、電磁場内で振動すなわち回転して電磁場を変化させて機械出力信号２４を生成する。変換器１４は、機械１２によって生じたこの電磁場の変化を検知し、この電磁信号を電気信号に変換する。
【００１７】
センサ１４が変流器である場合には、センサは、一般的には電気モータであることになる機械１２の電流を検知し、その波形をプローブに転送し、プローブがその信号をさらに例えばＢｅｎｔｌｙ  Ｎｅｖａｄａ  ３５００シリーズモニタシステムに転送する。
【００１８】
センサ１４が機械１２から振動信号をピックアップする加速度計である場合には、信号は次に、Ｂｅｎｔｌｙ  Ｎｅｖａｄａ  ３５００シリーズモニタシステムに入力する適切なプローブに入力され、次に発振器１８及び１９に入力される。
【００１９】
センサ変換器１４は、機械の出力信号２４を検知し、信号２４をＡ／Ｄ変換器１６によって受信されるのに適した形態を有するアナログ検知信号２６に変換する。コンピュータ５０は、図１のシステム１０と共に使用して発振器１８及び１９をエミュレートすることができる。Ａ／Ｄ変換器１６は、アナログ検知信号２６を受信し、信号２６をアナログ形式からディジタル形式に変換する。検知されたアナログ信号２６は、回転機械１２によって生成された正弦波変調信号である。Ａ／Ｄ変換器１６は、正弦波変調入力信号とホワイトノイズなどの入力ノイズ信号とを含むディジタル信号２８を出力する。一般的に、正弦波変調信号の中心周波数及び側波帯周波数は、該正弦波変調信号を囲んでいるノイズ信号から識別不能である。中心周波数の実例は、電気モータの場合に機械１２が運転される例えば５０〜６０Ｈｚの周波数である。
【００２０】
発振器１８及び１９は正弦波変調信号２８を受信し、発振器の１つは、その動作係数の１つ又はそれ以上を調整して、その振動周波数を正弦波変調信号２８の中心周波数にほぼ等しくなるように調整する。他の１つは、その動作係数の１つ又はそれ以上を調整して、その振動周波数を正弦波変調信号２８の側波帯周波数のうちの１つにほぼ等しくなるように調整する。発振器１８及び１９は、それらの振動周波数が正弦波変調信号２８の中心周波数と側波帯周波数のうちの１つとにほぼ等しくなるまで動作係数を調整し続ける。
【００２１】
時間の経過と共に、発振器１８及び１９は、それらの振動周波数を正弦波変調信号２８の周波数と同期化する。振動周波数に対する入力ノイズ信号の影響は、時間の経過と共に低下しかつ自己排除される。入力信号に対して発振器を調整する方法は、「動的同期化」プロセスとして公知である。移行期間の間には、正弦波変調信号（図１０ａ）２８と共に入力されるノイズはランダムであるので、ノイズは、発振器１８及び１９の周波数を時間の経過と共にそれぞれ反対の方向に「押し」、従ってそのような発振器に対するその影響を自己排除する。従って、動的同期化プロセスに対するノイズの影響は、殆ど影響のないものになる。一方、先に指摘したように正弦波変調信号は一定の周波数を有し、その結果、発振器１８及び１９は、時間の経過と共にそれら正弦波変調信号に同期化するようになる。得られた出力信号は、非常にノイズが少なくなっており、すなわち整流されており、整流正弦波変調信号（図１１ａ）２８は、通常の手順でさらに評価することができる。例えば、信号のスペクトルピークは、変換装置２０を使用して直接抽出しかつ更なる解析（図１１ｂ）のために出力装置２２によって表示することができる。
【００２２】
変換装置２０は、発振器１８及び１９から出力信号３０及び３１を受信し、該信号３０及び３１を時間領域から周波数領域に変換する。１つの実施形態では、変換装置２０は、フーリエ変換又はそれに代えて高速フーリエ変換を適用して、出力信号３０及び３１を時間領域から周波数領域に変換する。変換装置２０は、周波数領域信号３２及び３３を出力装置２２に出力し、出力装置２２は、周波数領域信号３２及び３３を表示する。
【００２３】
オペレータは、出力装置２２を観察し、例えば中心信号が深く変調され過ぎていないか又はそれに代えて所定の変調深さの分散範囲内を外れていないかなど、機械１２が適切に振動しているか否かを判定する。機械１２が適切に振動していない場合には、オペレータは、修理センタに電話するなどの対策を取って機械１２の運転を改善する。例えば、中心ピークと比較して側波帯が大きすぎる（換言すれば、中心信号があまりに深く変調されている）ように機械１２が振動するか、又はそれに代えて側波帯のサイズ（中心ピークと比較して）がそれらの相対的なサイズの特定の分散範囲外にある場合には、機械１２は、適切に振動していないと判定することができる。
【００２４】
図２は、図１のシステム１０と共に使用して発振器１８及び１９をエミュレートすることができるコンピュータ５０の例示的な実施形態である。コンピュータ５０は、プロセッサ５２、メモリ５４、入力装置５６及び出力装置２２を含む。本明細書で使用する場合、コンピュータという用語は、本技術分野でコンピュータと呼ばれる集積回路だけに限定されるものではなく、広くプロセッサ、マイクロコントローラ、マイクロコンピュータ、プログラマブル論理コントローラ、特定用途向け集積回路及びその他のプログラマブル回路を意味し、本明細書ではこれらの用語は、互換性をもって使用している。メモリ５４は、それに限定されないが、フロッピーディスク（登録商標）、ランダムアクセスメモリ、コンパクトディスク読み出し専用メモリ（ＣＤ−ＲＯＭ）、磁気光ディスク（ＭＯＤ）、及び／又はディジタル多用途ディスク（ＤＶＤ）などのコンピュータ読み取り可能なメディアを含むことができる。入力装置５６は、それに限定されないが、マウス、キーボード及び／又はスキャナとすることができる。
【００２５】
プロセッサ５２は、Ａ／Ｄ変換器１６から正弦波変調信号２８を受信しかつその信号２８を処理する。プロセッサ５２は、動作モードを調整することによって信号２８を処理して、発振器１８及び１９の振動周波数を正弦波変調信号２８の周波数に同期化させる。プロセッサ５２は、メモリ信号５８によりメモリ５４から動作係数を取り出す。オペレータは、入力装置５６を使用して入力信号６０によりプロセッサ５２に動作係数を与えることができる。任意選択的に、オペレータは、発振器１８及び１９の振動周波数を正弦波変調信号２８の周波数に同期化させるようにプロセッサの動作係数を調整することができる。プロセッサ５２は、正弦波変調信号２８をそのように処理することによって出力信号３０及び３１を生成する。
【００２６】
プロセッサ５２は、出力信号３０及び３１を時間領域から周波数領域に変換し、次に周波数領域信号３２及び３３を出力する。プロセッサ５２は、周波数領域信号３２及び３３に基づいて、振動周波数が正弦波変調信号２８の周波数にほぼ等しいか否かを判定する。発振器１８及び１９の振動周波数が信号２８の周波数と同期化されていない場合には、プロセッサ５２は、動作係数を再調整して、振動周波数を正弦波変調信号２８の周波数に動的に同期化させる。
【００２７】
図３は、正弦波変調信号を整流するための例示的な方法７０を示すフローチャートである。方法７０は、機械１２から正弦波変調信号２８を受信する段階７２を含む。方法７０はまた、プロセッサの動作係数を調整することによって正弦波変調信号を処理して、発振器１８及び１９の振動周波数を正弦波変調信号２８の中心周波数と側波帯周波数のうちの１つとに動的に同期化させる段階７４を含む。方法７０はまた、発振器１８及び１９を正弦波変調信号と同期化させることによって出力信号３０及び３１を生成する段階７６を含む。そうすることで、発振器１８及び１９の振動周波数が正弦波変調信号２８の周波数にほぼ等しいか否かの判定７８が行われる。振動周波数が正弦波変調信号２８の中心周波数と側波帯周波数のうちの１つとにほぼ等しくはないことを判定７８が示た場合には、プロセッサ５０の動作係数は次に、入力正弦波変調信号に対して振動周波数を調整するように再調整される。別の入力正弦波変調信号２８を受信した場合には、方法７０は繰り返される。
【００２８】
システム１０は、いわゆる一般型（図４）である２つの連結発振器１８及び１９を含む。一般型の発振器は、それに限定されないが、ファンデルポール型（図５）、ロテータ型（図６）、トラッキングフォース型（図７）、線形型（図８）、又はあらゆるその他の型の発振器とすることができる。システム１０内の発振器１８及び１９はまた、異型（混合型）とすることができる。ファンデルポール型発振器、ロテータ型発振器、トラッキングフォース型発振器、線形型発振器は全て、非線形ダイナミックス分野の知識を持っている当業者には良く知られた発振器である。
【００２９】
図４は、ファンデルポール型発振器１８及び線形型発振器１９を含む一対の連結発振器の例示的な実施形態である。ファンデルポール型発振器１８は、積分器８０及び８２、出力信号及び振幅装置８４、剛性乗算器８６、乗算器８８、減衰乗算器９０、第１の加算器９２、第２の加算器９４、並びに否定倒置質量乗算器９６を含む。剛性乗算器８６、否定倒置質量乗算器９６及び減衰乗算器９０の各々は、増幅器とすることができる。乗算器８８は、変調器を含むことができる。
【００３０】
線形型発振器１９は、積分器１００及び１０２、剛性乗算器１０６、減衰乗算器１１０、第１の加算器１１２、第２の加算器１１４、並びに否定倒置質量乗算器１１６を含む。剛性乗算器１０６、否定倒置質量乗算器１１６及び減衰乗算器１１０の各々は、増幅器とすることができる。
【００３１】
発振器１８及び１９は、機械１２から入力信号を受信する。この入力信号は、ノイズと共に正弦波変調信号から成る。動的同期化プロセスの結果として、連結発振器１８及び１９の出力は、ノイズが非常に少ない正弦波変調信号となり、従って正弦波変調信号の整流を行うことになる。図１１ａに示す整流信号は、図１０ａに示した信号及びノイズの混合体と比較して図９ａに示した元の信号に非常に近くなっている。
【００３２】
プロセッサ５０による発振器１８及び１９のエミュレーションは、そのような発振器が正弦波変調信号２８の予想周波数にほぼ等しい振動周波数を有するように同調するように選択された特定の係数の使用を含む。スペクトルでは、正弦波変調信号は、大きい中心ピーク１２０及び２つのより小さい側波帯１２２を含むものとして理解される（図９ｂ）。１つの発振器の係数は、その乱されていない周波数が正弦波変調信号２８の中心スペクトルピークに幾分近くなるように選定される。第２の発振器の係数は、その乱されていない周波数が中心ピーク周波数と側波帯周波数のうちの１つとの間の差に幾分近くなるように選定される。
【００３３】
機械１２が誘導電気モータである場合には、モータ電流のスペクトルが解析される。いわゆる回線周波数（通常は、６０Ｈｚ又は５０Ｈｚ）の位置に大きいピークが存在する。この大きいピークは、回線周波数の両側のいわゆる極通過周波数の距離に位置したより小さい側波帯によって囲まれている。これらの側波帯が大きすぎる場合には、そのことは、例えば誘導モータでのロータバーの破損及び／又はサイドリングの破損などの重大な故障を示している。
【００３４】
機械１２が電気モータである場合には、その電流波形は、変流器（センサ１４）を通してプローブに進み、該プローブが信号をさらに例えばＧＥ  ３５００モニタシステムに転送する。信号はさらに、ディジタル化されかつコンピュータ５０に供給される。コンピュータ５０では、信号は、適切に同調させた発振器１８及び１９のエミュレーションに適用される。発振器１８及び１９の出力は、スペクトログラムにより解析されて、側波帯が大きすぎるか又はそうでないかが判定される。
【００３５】
システム１０は、入力信号のディジタル化を何もしないで動作させることができる。そのような場合には、入力信号は、ピックアップされ、かつ適切な調整（例えば、加速度計の増幅器の調整）の後に、適切に同調させた発振器１８及び１９の物理モデル上に加えられる。発振器１８及び１９からの出力は次に、オシロスコープとすることができる出力装置２２に転送され、かつ解析される。
【００３６】
現在最も実用的かつ好ましい実施形態であると考えられるものに関して本発明を説明してきたが、本発明は、開示した実施形態に制限されるものではなく、それとは逆に特許請求の範囲の技術思想および技術的範囲内に含まれる様々な修正及び均等な構成を保護しようとするものであることを理解されたい。
【図面の簡単な説明】
【００３７】
【図１】回転機械によって生成された正弦波変調信号を整流するために使用することができるシステムの例示的な実施形態を示す図。
【図２】図１のシステムと共に使用することができるコンピュータの例示的な実施形態を示す図。
【図３】回転機械によって生成された正弦波変調信号を整流する例示的な方法のフローチャート。
【図４】図１のシステムと共に使用可能な一般型の２つの連結発振器の例示的な実施形態を示す図。
【図５】図１のシステムと共に使用可能なファンデルポール型の２つの連結発振器の例示的な実施形態を示す図。
【図６】図１のシステムと共に使用可能なロテータ型の２つの連結発振器の例示的な実施形態を示す図。
【図７】図１のシステムと共に使用可能なトラッキングフォース型の２つの連結発振器の例示的な実施形態を示す図。
【図８】図１のシステムと共に使用可能な線形型の２つの連結発振器の例示的な実施形態を示す図。
【図９ａ】時間領域における正弦波変調信号を示すグラフ。
【図９ｂ】周波数領域における正弦波変調信号を示すグラフ。
【図１０ａ】時間領域における、ノイズに囲まれた図９ａの正弦波変調信号を示すグラフ。
【図１０ｂ】周波数領域における、ノイズに囲まれた図９ｂの正弦波変調信号を示すグラフ。
【図１１ａ】時間領域における、ノイズを除去するように整流された図１０ａのノイズのある正弦波変調信号を示すグラフ。
【図１１ｂ】周波数領域における、ノイズを除去するように整流された図１０ｂのノイズのある正弦波変調信号を示すグラフ。
【符号の説明】
【００３８】
１０  正弦波変調信号整流システム
１２  回転機械
１４  正弦波変調信号検出センサ
１４  変換器
１６  アナログ・デジタル変換器
１８  発振器（一般型、ファンデルポール型、ロテータ型、トラッキングフォース型、線形型、その他の型）
１９  発振器（一般型、ファンデルポール型、ロテータ型、トラッキングフォース型、線形型、その他の型）
２０  変換装置
２２  出力装置
２４  機械出力信号／正弦波変調信号
２６  アナログ検知信号／正弦波変調信号
２８  デジタル出力信号／正弦波変調信号
３０  発振器出力信号
３１  発振器出力信号
３２  周波数領域信号
３３  周波数領域信号
５０  コンピュータ
５２  プロセッサ
５４  メモリ
５６  入力装置
５８  メモリ信号
６０  入力信号
７０  正弦波変調信号整流方法
７２  受信する段階
７４  処理する段階
７６  生成する段階
７８  判定する段階
８０  積分器
８２  積分器
８４  増幅装置
８６  剛性乗算器
８８  乗算器
９０  減衰乗算器
９２  第１の加算器
９４  第２の加算器
９６  否定倒置質量乗算器
１００  積分器
１０２  積分器
１０６  剛性乗算器
１１０  減衰乗算器
１１２  第１の加算器
１１４  第２の加算器
１１６  否定倒置質量乗算器
１２０  大きい中心ピーク
１２２  ２つのより小さい側波帯
【図１】
2008271771.tif 000003
【図２】
2008271771.tif 000004
【図３】
2008271771.tif 000005
【図４】
2008271771.tif 000006
【図５】
2008271771.tif 000007
【図６】
2008271771.tif 000008
【図７】
2008271771.tif 000009
【図８】
2008271771.tif 000010
【図９ａ】
2008271771.tif 000011
【図９ｂ】
2008271771.tif 000012
【図１０ａ】
2008271771.tif 000013
【図１０ｂ】
2008271771.tif 000014
【図１１ａ】
2008271771.tif 000015
【図１１ｂ】
2008271771.tif 000016
【外国語明細書】
2008271771000001.pdf